(57)【要約】【課題】  平板ランプを提供する。【解決手段】  一定の間隔をおいて相互対向して配置されてその間に少なくとも一つの放電セルを形成する下部基板１００および上部基板と、下部基板と上部基板のうち少なくとも一方に各放電セルに対で形成される第１電極部１１１および第２電極部１１２と、を備えて平板ランプを構成する。前記第１電極部１１１および前記第２電極部１１２は、それぞれ複数の電極（第1電極１１１ａ、１１１ｂ、１１１ｃおよび第２電極１１２ａ、１１２ｂ、１１２ｃ）からなる。【選択図】      図３
2005166669.tif 000002
【特許請求の範囲】
【請求項１】
一定の間隔をおいて相互対向して配置されてその間に少なくとも一つの放電セルを形成する下部基板および上部基板と、
前記下部基板と前記上部基板のうち少なくとも一方に前記放電セルごとに対で形成される第１電極部および第２電極部と、を備え、
前記第１電極部および前記第２電極部は、それぞれ複数の電極からなることを特徴とする平板ランプ。
【請求項２】
前記第１電極部および前記第２電極部の電極は、前記第１電極部と前記第２電極部との間の中心線に対して対称に配置されることを特徴とする請求項１に記載の平板ランプ。
【請求項３】
前記第１電極部および前記第２電極部の電極は、互いに同幅であることを特徴とする請求項２に記載の平板ランプ。
【請求項４】
前記第１電極部および前記第２電極部の電極は、前記第１電極部と前記第２電極部との間の中心線から遠いほど広い幅を有することを特徴とする請求項２に記載の平板ランプ。
【請求項５】
前記放電セルは、スペーサにより区画されることを特徴とする請求項１に記載の平板ランプ。
【請求項６】
前記スペーサは、前記放電セルが密閉されるように設けられることを特徴とする請求項５に記載の平板ランプ。
【請求項７】
前記スペーサは、隣接する前記放電セルが相互連通するように設けられることを特徴とする請求項５に記載の平板ランプ。
【請求項８】
前記スペーサは、その一端が前記放電セルの外壁をなすフレームから離隔して配置されていることを特徴とする請求項７に記載の平板ランプ。
【請求項９】
前記スペーサは、その両端が前記放電セルの外壁をなすフレームから離隔して配置されていることを特徴とする請求項７に記載の平板ランプ。
【請求項１０】
一定の間隔をおいて相互対向して配置されてその間に少なくとも一つの放電セルを形成する下部基板および上部基板と、
前記下部基板に前記放電セルごとに対で形成される第１電極部および第２電極部と、を備え、
前記第１電極部および前記第２電極部は、それぞれ複数の電極からなることを特徴とする平板ランプ。
【請求項１１】
前記第１電極部および前記第２電極部の電極は、前記第１電極部と前記第２電極部との間の中心線に対して対称に配置されることを特徴とする請求項１０に記載の平板ランプ。
【請求項１２】
前記第１電極部および前記第２電極部の電極は、互いに同幅であることを特徴とする請求項１１に記載の平板ランプ。
【請求項１３】
前記第１電極部および前記第２電極部の電極は、前記第１電極部と前記第２電極部との間の中心線から遠いほど広い幅を有することを特徴とする請求項１１に記載の平板ランプ。
【請求項１４】
前記上部基板には前記放電セルに第３電極部および第４電極部が対で形成され、前記第３電極部および前記第４電極部はそれぞれ少なくとも一つの電極からなることを特徴とする請求項１１に記載の平板ランプ。
【請求項１５】
前記第３電極部および前記第４電極部の電極は、前記第３電極部と前記第４電極部との間の中心線に対して対称に配置されることを特徴とする請求項１４に記載の平板ランプ。
【請求項１６】
前記第３電極部および前記第４電極部の電極は、それぞれ前記第１電極部と第２電極部の電極に対向する位置に配置されていることを特徴とする請求項１５に記載の平板ランプ。
【請求項１７】
前記第３電極部および前記第４電極部の電極数は、それぞれ前記第１電極部と前記第２電極部の電極数より少ないことを特徴とする請求項１５に記載の平板ランプ。
【請求項１８】
前記放電セルは、スペーサにより区画されることを特徴とする請求項１０に記載の平板ランプ。
【請求項１９】
前記スペーサは、前記放電セルが密閉されるように設けられることを特徴とする請求項１８に記載の平板ランプ。
【請求項２０】
前記スペーサは、隣接する前記放電セルが相互連通するように設けられることを特徴とする請求項１８に記載の平板ランプ。
【請求項２１】
前記スペーサは、その一端が前記放電セルの外壁をなすフレームから離隔して配置されていることを特徴とする請求項２０に記載の平板ランプ。
【請求項２２】
前記スペーサは、その両端が前記放電セルの外壁をなすフレームから離隔して配置されていることを特徴とする請求項２０に記載の平板ランプ。
【発明の詳細な説明】
【技術分野】
【０００１】
本発明は平板ランプに係り、詳細には、放電電圧の低減と発光効率の向上が可能な平板ランプに関する。
【背景技術】
【０００２】
主に液晶表示素子（ＬＣＤ：Liquid Crystal Display）のバックライトとして開発されている平板ランプは、冷陰極蛍光ランプを用いたエッジライトまたはダイレクトライト方式から、発光効率や輝度の均一度などを考慮して、発光面の下部全体が放電空間になる面放電型または対向放電型平板ランプの形態に発展した。面放電型平板ランプは、対向放電型に比べて放電特性が安定するという利点はあるが、全体的な輝度が対向放電型平板ランプに比べて低いのが一般的である。
【０００３】
図１に、従来の面放電型平板ランプの下部基板を示す。図１に示すように、従来の面放電型平板ランプは、下部基板１０上に、下部基板１０と上部基板（図示せず）の間の空間を区画して複数の放電セルを形成するための複数のスペーサ１５が設けられており、この複数のスペーサ１５によって下部基板１０と上部基板の間隔が一定に維持されている。そして、前記下部基板１０上には、その放電セルごとにそれぞれ一対の電極（第１電極１１および第２電極１２）が配置されている。このような構造において、第１電極１１および第２電極１２からなる複数の電極対にそれぞれ所定電圧を印加すると、各放電セル内部でガス放電が起きる。
【０００４】
一般に、ガス放電を用いる場合、放電経路が長ければ長いほど発光効率が向上するが、放電経路を長くすることは同時に、放電電圧の上昇をもたらし、コストや寿命などに悪影響を及ぼす。したがって、前記のような構造の従来の平板ランプでは、第１電極１１と第２電極１２の間隔を広げて放電経路を長くすれば、発光効率を向上させることはできるが、放電電圧が上昇するという問題が発生する。
【０００５】
このような問題点を解決するために提案された平板ランプの例を図２に示す。図２に示す従来例の面放電型平板ランプは、下部基板２０上に複数の放電セルが形成されており、その放電セルごとにそれぞれ一対の電極（第１電極２１および第２電極２２）が配置されている。そして、前記第１電極２１および第２電極２２の間には第１補助電極２３および第２補助電極２４が設けられている。ここで、前記第１電極２１および第２電極２２は、それぞれ抵抗層２７、２８を介して第１補助電極２３および第２補助電極２４に接続されている。このような構造においては、第１補助電極２３および第２補助電極２４に電圧を印加することにより放電の開始を助ける。しかし、このような平板ランプは抵抗層２７、２８の形成工程が別途必要となるので設計上の制約の増加と製造コストの上昇につながるおそれがあるとともに、抵抗層２７、２８による熱損失があり、補助電極（２３、２４）がある部分とない部分との間に輝度差が発生するという問題点がある。
【発明の開示】
【発明が解決しようとする課題】
【０００６】
本発明は、前記のような問題点を解決するために案出されたものであって、各放電セルのそれぞれに複数の電極からなる一対の電極部を用意することによって、放電電圧の低減と発光効率の向上が可能な平板ランプを提供することをその目的とする。
【課題を解決するための手段】
【０００７】
本発明に係る平板ランプは、一定の間隔をおいて相互対向して配置されてその間に少なくとも一つの放電セルを形成する下部基板および上部基板と、前記下部基板と前記上部基板のうち少なくとも一方に前記放電セルごとに対で形成される第１電極部および第２電極部と、を備え、前記第１電極部および前記第２電極部は、それぞれ複数の電極からなる。
【０００８】
前記第１電極部および前記第２電極部の電極は、前記第１電極部と前記第２電極部との間の中心線に対して対称に配置されることが望ましい。
【０００９】
前記第１電極部および前記第２電極部の電極は、互いに同幅であるか、前記第１電極部と第２電極部との間の中心線から遠いほど広い幅を有するよう構成することができる。
【００１０】
前記放電セルは、スペーサにより区画されるものとすることができる。このとき、前記スペーサは、前記放電セルが密閉されるように設けられるものとすることができる。
【００１１】
一方、前記スペーサは、隣接する前記放電セルが相互連通するように設けることもできる。このとき、前記スペーサは、その一端が前記放電セルの外壁をなすフレームから離隔して配置されるか、その両端が前記放電セルの外壁をなすフレームから離隔して配置されるよう構成することにより前記放電セルを相互連通させることができる。
【発明の効果】
【００１２】
本発明に係る平板ランプによれば、各放電セルのそれぞれに複数の電極からなる一対の電極部を配置することによって、放電電圧を下げることができ、平均放電経路を長くしてランプの輝度および発光効率を向上させることができる。
【発明を実施するための最良の形態】
【００１３】
以下、添付された図面を参照して本発明に係る望ましい実施形態を詳細に説明する。図面において同じ参照符号は同じ構成要素を示す。
【００１４】
図３は、本発明の実施形態による平板ランプの下部基板を示す平面図であり、図４は、図３に示した平板ランプの一部を示す断面図である。最初に図４を参照すれば、本実施形態では、下部基板１００と上部基板１２０とが一定の間隔をおいて相互に対向して配置されていることがわかる。この下部基板１００および上部基板１２０は、ほぼ同じ広がり（図３に下部基板１００のみ図示）をもつ二つの基板を平行に配置してなるものである。ここで、前記下部基板１００および前記上部基板１２０としては一般にガラス基板が使用される。前記下部基板１００と前記上部基板１２０との間にはプラズマ放電が起こる少なくとも一つの放電セル１３０が形成され、その放電セル１３０の内部には放電ガスが充填される。ここで、前記放電セル１３０は、陰極と陽極からなる電極対の間に形成された放電空間として定義される。そして、前記下部基板１００と前記上部基板１２０との間の前記放電セル１３０が形成される空間の外郭には下部基板１００と上部基板１２０間の空間を密閉するフレーム（図示せず）が設けられている。
【００１５】
図３および図４に示すように、前記下部基板１００と前記上部基板１２０との間には下部基板１００と上部基板１２０の間隔を一定に維持すると同時に下部基板１００と上部基板１２０の間の空間を区画して前記放電セル１３０を形成する少なくとも一つのスペーサ１１５が設けられている。ここで、前記スペーサ１１５は、放電セル１３０の一部が開放されるようにその一端を前記フレームから離隔して配置してもよいし、その両端を前記フレームから離隔して配置してもよい。一方、前記スペーサ１１５は、放電セル１３０が密閉されるようにその両端を前記フレームに密着させて配置されてもよい。そして、前記放電セル１３０の内壁には放電によって発生した紫外線によって励起されて可視光を発生させる蛍光体層（図示せず）を形成することができる。
【００１６】
前記下部基板１００の上面には、放電セル１３０の内部に放電を起こすための複数の放電電極が形成される。具体的に、前記下部基板１００の上面には、第１電極部１１１および第２電極部１１２が放電セル１３０ごとに対で形成されている。そして、前記第１電極部１１１は、複数の第１電極１１１ａ、１１１ｂ、１１１ｃからなり、前記第２電極部１１２は、複数の第２電極１１２ａ、１１２ｂ、１１２ｃからなる。ここで、前記第１電極１１１ａ、１１１ｂ、１１１ｃは、第１共通ライン１４０に接続されており、前記第２電極１１２ａ、１１２ｂ、１１２ｃは、第２共通ライン１５０に接続されている。なお、図３では、第１電極部１１１および第２電極部１１２がそれぞれ３つの電極からなる場合を例示しているが、本実施形態の電極構成はこれに限定されず、各電極部（１１１、１１２）を２つまたは４つ以上の電極で構成してもよい。
【００１７】
前記第１電極１１１ａ、１１１ｂ、１１１ｃと前記第２電極１１２ａ、１１２ｂ、１１２ｃとは、第１電極部１１１と第２電極部１１２との間の中心線に対して相互対称に配置されている。ここで、中心線とは、下部基板１００を平面視したとき線対称に配置された一対の電極部（１１１、１１２）のそれぞれからほぼ等距離に位置する対称軸を意味する。また、前記第１電極１１１ａ、１１１ｂ、１１１ｃおよび前記第２電極１１２ａ、１１２ｂ、１１２ｃは、同幅に形成されている。一方、本実施形態における前記第１電極１１１ａ、１１１ｂ、１１１ｃと前記第２電極１１２ａ、１１２ｂ、１１２ｃとが、第１電極部１１１と第２電極部１１２との間の中心線に対して互いに非対称になるように配置することも可能である。
【００１８】
前記のような構造の平板ランプにおいて、第１電極１１１ａ、１１１ｂ、１１１ｃと第２電極１１２ａ、１１２ｂ、１１２ｃとにそれぞれ所定の電圧が印加されれば、互いの距離が最も近い第１電極部１１１の第１電極１１１ａと第２電極部１１２の第２電極１１２ａとの間に開始放電がまず起こる。このとき、これら第１電極１１１ａと第２電極１１２ａの間の間隔を従来の平板ランプより狭くすれば、放電電圧を低くすることができる。次に、第１電極１１１ａ、１１１ｂ、１１１ｃと第２電極１１２ａ、１１２ｂ、１１２ｃとの間で、主放電が起こる。ここで、第１電極１１１ａ、１１１ｂ、１１１ｃと第２電極１１２ａ、１１２ｂ、１１２ｃとの間の平均間隔を従来の平板ランプより広くすれば、平均放電経路が長くなり、発光効率が向上する。
【００１９】
図５は、図３および図４を参照して説明した本発明の前記実施形態による平板ランプの変形例を示すものである。図５に示すように、下部基板１００の下面に、第１電極部１１１′および第２電極部１１２′が放電セル１３０ごとに対で形成されている。ここで、前記第１電極部１１１′は、複数の第１電極１１１′ａ、１１１′ｂ、１１１′ｃからなり、前記第２電極部１１２′は、複数の第２電極１１２′ａ、１１２′ｂ、１１２′ｃからなる。
【００２０】
図６は、本発明の前記実施形態による平板ランプの他の変形例を示すものである。図６に示すように、下部基板１００の上面に、放電セル１３０ごとに、複数の第１電極１１１ａ、１１１ｂ、１１１ｃからなる第１電極部１１１と、複数の第２電極１１２ａ、１１２ｂ、１１２ｃからなる第２電極部１１２とが対で形成されている。そして、上部基板１２０の下面にも、放電セル１３０ごとに、複数の第３電極１１３ａ、１１３ｂ、１１３ｃからなる第３電極部１１３と複数の第４電極１１４ａ、１１４ｂ、１１４ｃからなる第４電極部１１４とが対で形成されている。なお、図６では、第１電極部１１１、第２電極部１１２、第３電極部１１３、および第４電極部１１４がそれぞれ３つの電極からなる場合を例示しているが、本実施形態の電極構成はこれに限定されず、各電極部（１１１、１１２、１１３、１１４）を２つまたは４つ以上の電極で構成してもよい。
【００２１】
前記第１電極１１１ａ、１１１ｂ、１１１ｃと前記第２電極１１２ａ、１１２ｂ、１１２ｃとは、第１電極部１１１と第２電極部１１２との間の中心線に対して相互対称に配置されており、前記第３電極１１３ａ、１１３ｂ、１１３ｃと前記第４電極１１４ａ、１１４ｂ、１１４ｃとは、第３電極部１１３と第４電極部１１４との間の中心線に対して対称に配置されている。そして、前記第１電極１１１ａ、１１１ｂ、１１１ｃと前記第２電極１１２ａ、１１２ｂ、１１２ｃとは、同幅に形成されており、前記第３電極１１３ａ、１１３ｂ、１１３ｃと前記第４電極１１４ａ、１１４ｂ、１１４ｃとは、同幅に形成されている。また、前記第３電極部１１３および前記第４電極部１１４の電極（１１３ａ、１１３ｂ、１１３ｃ、１１４ａ、１１４ｂ、１１４ｃ）は、それぞれ前記第１電極部１１１と第２電極部１１２の電極（１１１ａ、１１１ｂ、１１１ｃ、１１２ａ、１１２ｂ、１１２ｃ）に対向する位置に整列配置されている。
【００２２】
前記のような構造の平板ランプにおいては、放電が第１電極１１１ａ、１１１ｂ、１１１ｃと第２電極１１２ａ、１１２ｂ、１１２ｃとの間のみならず第３電極１１３ａ、１１３ｂ、１１３ｃと第４電極１１４ａ、１１４ｂ、１１４ｃとの間でも起こるので、円滑な放電を起こすことが可能となる。
【００２３】
図７は、本発明の他の実施形態による平板ランプの下部基板の一部を示す平面図であり、図８は、図７に示した平板ランプの一部を示す断面図である。図７および図８を参照すれば、本実施形態でも図３および図４に示した実施形態と同様、下部基板２００と上部基板２２０とが一定の間隔をおいて相互に対向して配置されていることがわかる。そして、前記下部基板２００と前記上部基板２２０との間には下部基板２００と上部基板２２０の間の空間を区画して放電セル２３０を形成する少なくとも一つのスペーサ２１５が設けられる。ここで、前記スペーサ２１５は、前述したように、放電セル２３０の一部を開放させるように配置されてもよく、放電セル２３０を密閉させるように配置されてもよい。
【００２４】
前記下部基板２００の上面には、放電セル２３０ごとに第１電極部２１１および第２電極部２１２が対で形成されている。そして、前記第１電極部２１１は、複数の第１電極２１１ａ、２１１ｂからなり、前記第２電極部２１２は、複数の第２電極２１２ａ、２１２ｂからなる。なお、図８では、第１電極部２１１および第２電極部２１２がそれぞれ２つの電極からなる場合を例示しているが、本実施形態の電極構成はこれに限定されず、各電極部（２１１、２１２）を３つ以上の電極で構成してもよい。
【００２５】
前記第１電極２１１ａ、２１１ｂと前記第２電極２１２ａ、２１２ｂとは、第１電極部２１１と第２電極部２１２との間の中心線に対して相互対称に配置されている。そして、前記第１電極２１１ａ、２１１ｂと前記第２電極２１２ａ、２１２ｂとは、第１電極部２１１と第２電極部２１２との間の中心線から遠いほど広い幅を有するように形成されている。一方、本実施形態でも、前記第１電極２１１ａ、２１１ｂと第２電極２１２ａ、２１２ｂとが第１電極部２１１と第２電極部２１２との間の中心線に対して互いに非対称になるように配置することも可能である。
【００２６】
前記のような構造の平板ランプにおいて、第１電極２１１ａ、２１１ｂと第２電極２１２ａ、２１２ｂとにそれぞれ所定の電圧が印加されれば、互いに近くに位置する第１電極部２１１の第１電極２１１ａと第２電極部２１２の第２電極２１２ａとの間で開始放電が起こる。次に、第１電極２１１ａ、２１１ｂと第２電極２１２ａ、２１２ｂとの間に主放電が起こる。このとき、互いに遠く位置する第１電極２１１ｂと第２電極２１２ｂとは、互いに近く位置する第１電極２１１ａと第２電極２１２ａより広い幅を有するので、平均放電経路が長くなり、これによって発光効率が向上する。
【００２７】
図９は、図７および８を参照して説明した本発明の他の実施形態による平板ランプの変形例を示すものである。図９に示すように、下部基板２００の上面に、放電セル２３０ごとに複数の第１電極２１１ａ、２１１ｂからなる第１電極部２１１と複数の第２電極２１２ａ、２１２ｂからなる第２電極部２１２とが対で形成されている。そして、上部基板２２０の下面にも、放電セル２３０ごとに複数の第３電極２１３ａ、２１３ｂからなる第３電極部２１３と複数の第４電極２１４ａ、２１４ｂからなる第４電極部２１４とが対で形成されている。なお、図９では、第１電極部２１１、第２電極部２１２、第３電極部２１３、および第４電極部２１４がそれぞれ２つの電極からなる場合を例示しているが、本実施形態の電極構成はこれに限定されず、各電極部（２１１、２１２、２１３、２１４）を３つ以上の電極で構成してもよい。
【００２８】
前記第１電極２１１ａ、２１１ｂと前記第２電極２１２ａ、２１２ｂとは、第１電極部２１１と第２電極部２１２との間の中心線に対して相互対称に配置されており、前記第３電極２１３ａ、２１３ｂと前記第４電極２１４ａ、２１４ｂとは、第３電極部２１３と第４電極部２１４との間の中心線に対して対称に配置されている。ここで、前記第１電極２１１ａ、２１１ｂと第２電極２１２ａ、２１２ｂとは、第１電極部２１１と第２電極部２１２との間の中心線から遠いほど広い幅を有するように形成されている。そして、前記第３電極２１３ａ、２１３ｂと第４電極２１４ａ、２１４ｂも、第３電極部２１３と第４電極部２１４との間の中心線から遠いほど広い幅を有するように形成されている。また、前記第３電極部２１３および前記第４電極部２１４の電極（２１３ａ、２１３ｂ、２１４ａ、２１４ｂ）は、それぞれ前記第１電極部２１１と第２電極部２１２の電極（２１１ａ、２１１ｂ、２１２ａ、２１２ｂ）に対向する位置に整列配置されている。
【００２９】
図１０は、本発明のさらに他の実施形態による平板ランプの一部を示す断面図である。図１０に示すように、下部基板３００と上部基板３２０とが一定の間隔をおいて相互対向して配置されており、前記下部基板３００と前記上部基板３２０との間には下部基板３００と上部基板３２０との間の空間を区画して放電セル３３０を形成する少なくとも一つのスペーサ３１５が設けられている。
【００３０】
下部基板３００の上面には、放電セル３３０ごとに複数の第１電極３１１ａ、３１１ｂ、３１１ｃ、３１１ｄからなる第１電極部３１１と複数の第２電極３１２ａ、３１２ｂ、３１２ｃ、３１２ｄからなる第２電極部３１２とが対で形成されている。そして、前記第１電極３１１ａ、３１１ｂ、３１１ｃ、３１１ｄと前記第２電極３１２ａ、３１２ａ、３１２ｃ、３１２ｄとは、第１電極部３１１と第２電極部３１２との間の中心線に対して相互対称に配置されており、同幅に形成されている。なお、図１０では、前記第１電極部３１１および前記第２電極部３１２がそれぞれ４つの電極からなる場合を例示しているが、本実施形態の電極構成はこれに限定されず、必要に応じて電極の数を決定することができる。そして、前記第１電極３１１ａ、３１１ｂ、３１１ｃ、３１１ｄと前記第２電極３１２ａ、３１２ｂ、３１２ｃ、３１２ｄとを、第１電極部３１１と第２電極部３１２との間の中心線から遠いほど広い幅を有するように形成することもできる。
【００３１】
上部基板３２０の下面には、放電セル３３０ごとに複数の第３電極３１３ａ、３１３ｂからなる第３電極部３１３と複数の第４電極３１４ａ、３１４ｂからなる第４電極部３１４とが形成されている。ここで、前記第３電極部３１３と前記第４電極部３１４とは、それぞれ第１電極部３１１および第２電極部３１２の電極より少ない数の電極から構成されている。そして、前記第３電極３１３ａ、３１３ｂと前記第４電極３１４ａ、３１４ｂとは、第３電極部３１３と第４電極部３１４との間の中心線に対して相互対称に配置されており、同幅に形成されている。なお、図１０では、第３電極部３１３および第４電極部３１４がそれぞれ２つの電極からなる場合を例示しているが、本実施形態の電極構成はこれに限定されず、各電極部（３１３、３１４）を少なくとも一つの電極からなるものとして適宜設計可能である。そして、前記第３電極３１３ａ、３１３ｂと第４電極３１４ａ、３１４ｂとを、第３電極部３１３と第４電極部３１４との間の中心線から遠いほど広い幅を有するように形成することができる。
【００３２】
前記のような構造の平板ランプにおいては、上部基板３２０に形成される電極による放電によって発生する可視光の遮断を抑えることができる。
【００３３】
図１１および図１２は、本発明に係る平板ランプと従来の平板ランプとの輝度および効率を比較するための図面である。図１１は、本発明に係る電極配置と従来の電極配置が共に設けられた平板ランプをその平面図で示す図面である。図１１において、Ａ領域は、本発明に係る電極配置が設けられた領域であり、Ｂ領域は、従来の電極配置が設けられた領域である。Ａ領域には各放電セルにそれぞれ２つの電極（１１７ａ、１１７ｂおよび１１８ａ、１１８ｂ）からなる第１電極部１１７および第２電極部１１８が設けられており、Ｂ領域には各放電セルに一つの第１電極１７および第２電極１８が設けられている。このような電極配置は、上部基板および下部基板の両方に同様に適用される。図１２は、図１１に示した平板ランプの輝度および効率を示すグラフである。図１２を参照すれば、本発明の電極配置は従来の電極配置に比べて、輝度にして約８％、効率においては約４０％以上向上したことが分かる。
【００３４】
以上、本発明に係る望ましい実施形態を説明したが、これは例示的なものに過ぎず、当業者ならば、これより多様な変形および均等な他の実施の形態が可能であることが理解されよう。したがって、本発明の真の技術的範囲は特許請求の範囲によってのみ決まるべきものである。
【産業上の利用可能性】
【００３５】
本発明の改善された平板ランプは、たとえば、液晶表示素子のバックライトとして利用され、顕著な効果を奏する。
【図面の簡単な説明】
【００３６】
【図１】従来の平板ランプの下部基板を示す平面図である。
【図２】従来の他の平板ランプの下部基板を示す斜視図である。
【図３】本発明の実施形態による平板ランプの下部基板を示す平面図である。
【図４】図３に示した平板ランプの一部を示す断面図である。
【図５】本発明の実施形態による平板ランプの変形例を示す断面図である。
【図６】本発明の実施形態による平板ランプの他の変形例を示す断面図である。
【図７】本発明の他の実施形態による平板ランプの下部基板を示す平面図である。
【図８】図７に示した平板ランプの一部を示す断面図である。
【図９】本発明の他の実施形態による平板ランプの変形例を示す断面図である。
【図１０】本発明のさらに他の実施形態による平板ランプの一部を示す断面図である。
【図１１】本発明に係る平板ランプと従来の平板ランプの輝度および効率を比較するための本発明に係る電極配置と従来の電極配置が共に設けられた平板ランプを示す図面である。
【図１２】本発明に係る平板ランプと従来の平板ランプの輝度および効率を比較して示したグラフである。
【符号の説明】
【００３７】
１００    下部基板
１１１    第１電極部
１１１ａ、１１１ｂ、１１１ｃ    第１電極
１１２    第２電極部
１１２ａ、１１２ｂ、１１２ｃ    第２電極
１１５    スペーサ
１２０    上部基板
１３０    放電セル
１４０    第１共通ライン
１５０    第２共通ライン                                                                                
【図１】
2005166669.tif 000003
【図２】
2005166669.tif 000004
【図３】
2005166669.tif 000005
【図４】
2005166669.tif 000006
【図５】
2005166669.tif 000007
【図６】
2005166669.tif 000008
【図７】
2005166669.tif 000009
【図８】
2005166669.tif 000010
【図９】
2005166669.tif 000011
【図１０】
2005166669.tif 000012
【図１１】
2005166669.tif 000013
【図１２】
2005166669.tif 000014